(57)【要約】【課題】きわめて簡素な構成により製造コストの増加を抑えつつ、複数の書類を仕訳して収納することが可能な書類収納ファイルを提供する。【解決手段】本発明に係る書類収納ファイル１は、樹脂材料からなるシート材を用い、左辺１１、または、左辺１１および下辺１２が折曲もしくは溶着によって閉じられた表紙２と裏表紙３との間に書類を収納する書類収納ファイルであって、裏表紙３は、右辺１３寄りの端部領域に、頂部２０ｅが表紙２側へ向かう方向に起立可能に形成されている主保持部２０を有し、且つ、主保持部２０の位置に対応する外縁部に、外方側へ突出するインデックス部兼用の起立操作タブ２２を有し、表紙２は、右辺１３寄りの端部領域に、頂部２６ｅが裏表紙３側へ向かう方向に起立可能に形成されている副保持部２６を有し、且つ、副保持部２６の位置に対応する外縁部に、外方側へ突出するインデックス部兼用の起立操作タブ３０を有する。【選択図】図２
2019181923.tif 000002
【特許請求の範囲】
【請求項１】
樹脂材料からなるシート材を用い、左辺、または、左辺および下辺が折曲もしくは溶着によって閉じられた表紙と裏表紙との間に書類を収納する書類収納ファイルであって、
前記裏表紙は、
閉じられた前記左辺と対向する位置の開口した右辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている主保持部を有し、
且つ、前記主保持部の位置に対応する外縁部において、外方側へ突出させて設けられたインデックス部兼用の起立操作タブを有し、
前記表紙は、
前記右辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記裏表紙側へ向かう方向に、起立可能に形成されている副保持部を有し、
且つ、前記副保持部の位置に対応する外縁部において、外方側へ突出させて設けられたインデックス部兼用の起立操作タブを有すること
を特徴とする書類収納ファイル。
【請求項２】
前記主保持部は、一個もしくは複数個設けられており、
前記表紙は、前記裏表紙の所定の前記主保持部の位置に対応する前記右辺の外縁部において、内方側へ切欠かれた切欠き部を有し、
前記切欠き部は、前記所定の主保持部の前記起点および前記終点の位置に対して前記左辺寄りを通過する曲線もしくは直線で形成され、且つ、底部が前記所定の主保持部の前記頂部よりも前記右辺寄りの位置となるように形成されていること
を特徴とする請求項１記載の書類収納ファイル。
【請求項３】
前記所定の主保持部は、前記左辺に向かって凸となる曲線状に形成されていること
を特徴とする請求項２記載の書類収納ファイル。
【請求項４】
前記表紙は、開口した上辺寄りの端部領域、および前記上辺寄り且つ前記右辺寄りのコーナー部領域の両方または一方において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記裏表紙側へ向かう方向に、起立可能に形成されている表紙側補助保持部を有していること
を特徴とする請求項１〜３のいずれか一項に記載の書類収納ファイル。
【請求項５】
前記裏表紙は、前記上辺寄りの端部領域、および前記上辺寄り且つ前記右辺寄りのコーナー部領域の両方または一方において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている裏表紙側補助保持部を有していること
を特徴とする請求項１〜４のいずれか一項に記載の書類収納ファイル。
【請求項６】
前記表紙は、前記主保持部の位置に対応する位置、および前記副保持部の位置に対応する位置の両方または一方に、筆記具による直接記入が可能な印刷が施されたメモ欄を有すること
を特徴とする請求項１〜５のいずれか一項に記載の書類収納ファイル。
【請求項７】
前記主保持部は、前記右辺に沿って所定の間隔をあけて複数個並設されており、
複数個の前記主保持部は、並設されている順に前記基線と前記頂部との間の長さ寸法が段階的に小さくもしくは大きくなるように形成されていること
を特徴とする請求項１記載の書類収納ファイル。
【発明の詳細な説明】
【技術分野】
【０００１】
本発明は、樹脂材料からなるシート材を用いて形成された表紙と裏表紙との間に書類を収納する書類収納ファイルに関する。
【背景技術】
【０００２】
従来より、樹脂材料からなるシート材を用いて形成された書類収納ファイル（ホルダ）として、様々な構成が提案されている。簡素なものでは、シート材を折曲した後、一辺を溶着して表紙と裏表紙との間に書類を収納する構成が知られている（特許文献１：実用新案登録第３０２８８９３号公報参照）。また、このような構成をベースとして、収納する書類の落下防止を図るための押え片を備える構成も知られている（特許文献２：特開２００１−２３２９８１号公報参照）。
【０００３】
しかし、上記の特許文献１、特許文献２に例示される構成においては、書類を収納するスペースが一つであるため、内容や目的等に応じて複数の書類もしくは書類群（以下、単に「書類」と称する）を仕訳して収納することができないという課題があった。このような課題の解決を図るものとして、例えば、複数の収納部を設けることにより、複数の書類を仕訳して収納することが可能な構成が知られている（特許文献３：実用新案登録第３０３８７５２号公報参照）。
【先行技術文献】
【特許文献】
【０００４】
【特許文献１】実用新案登録第３０２８８９３号公報
【特許文献２】特開２００１−２３２９８１号公報
【特許文献３】実用新案登録第３０３８７５２号公報
【発明の概要】
【発明が解決しようとする課題】
【０００５】
製造コストの観点からすれば特許文献１に例示されるような折曲・溶着した単純な構成が有利である。また、さらに収納した書類の落下防止を図ることが可能な機構が追加された特許文献２に例示されるような構成であっても、大幅なコスト増加は生じない。しかしながら、これらの構成では、複数の書類を仕訳して収納することができない。一方、複数の書類を仕訳して収納することを可能とするために、特許文献３に例示されるような複数枚のシートを用いて複数の収納部を設ける構成とした場合には、原材料コストおよび加工コストのいずれもが増加してしまうため、製造コストが大幅に増加してしまうという課題が生じ得る。
【課題を解決するための手段】
【０００６】
本発明は、上記事情に鑑みてなされ、きわめて簡素な構成により製造コストの増加を抑えつつ、複数の書類を仕訳して収納することが可能な書類収納ファイルを提供することを目的とする。
【０００７】
本発明は、以下に記載するような解決手段により、前記課題を解決する。
【０００８】
本発明に係る書類収納ファイルは、樹脂材料からなるシート材を用い、左辺、または、左辺および下辺が折曲もしくは溶着によって閉じられた表紙と裏表紙との間に書類を収納する書類収納ファイルであって、前記裏表紙は、閉じられた前記左辺と対向する位置の開口した右辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記表紙側へ向かう方向に、起立可能に形成されている主保持部を有し、且つ、前記主保持部の位置に対応する外縁部において、外方側へ突出させて設けられたインデックス部兼用の起立操作タブを有し、前記表紙は、前記右辺寄りの端部領域において、外縁部側に設けられた起点から内方側へ進んでから外縁部側に設けられた終点に戻る連続線で切込みが入れられて、該起点と該終点とを結ぶ線を基線として、該起点および該終点から最も離れた位置である頂部が前記裏表紙側へ向かう方向に、起立可能に形成されている副保持部を有し、且つ、前記副保持部の位置に対応する外縁部において、外方側へ突出させて設けられたインデックス部兼用の起立操作タブを有することを要件とする。
【発明の効果】
【０００９】
本発明によれば、きわめて簡素な構成により製造コストの増加を抑えつつ、複数の書類を仕訳して収納することが可能な書類収納ファイルを実現することができる。
【図面の簡単な説明】
【００１０】
【図１】本発明の第１の実施形態に係る書類収納ファイルの例を示す正面図である。
【図２】図１に示す書類収納ファイルの裏表紙の例を示す正面図（表紙を開いた状態）である。
【図３】図１の書類収納ファイルを用いて書類を収納する動作を説明する説明図である。
【図４】図１の書類収納ファイルを用いて書類を収納する動作を説明する説明図（図３に連続する図）である。
【図５】図１の書類収納ファイルを用いて書類を収納する動作を説明する説明図（図４に連続する図）である。
【図６】本発明の第２の実施形態に係る書類収納ファイルの例を示す正面図である。
【図７】図６に示す書類収納ファイルの裏表紙の例を示す正面図（表紙を開いた状態）である。
【図８】図６に示す書類収納ファイルの主保持部の例を示す斜視図（表紙を開いた状態）である。
【図９】図６の書類収納ファイルを用いて書類を収納する動作を説明する説明図である。
【図１０】図６の書類収納ファイルを用いて書類を収納する動作を説明する説明図（図９に連続する図）である。
【図１１】図６の書類収納ファイルを用いて書類を収納する動作を説明する説明図（図１０に連続する図）である。
【図１２】本発明の第３の実施形態に係る書類収納ファイルの例を示す正面図である。
【図１３】本発明の第４の実施形態に係る書類収納ファイルの例を示す斜視図（表紙を開いた状態）である。
【図１４】本発明の第５の実施形態に係る書類収納ファイルの例を示す正面図である。
【図１５】図１４に示す書類収納ファイルの裏表紙の例を示す正面図（表紙を開いた状態）である。
【図１６】図１４の書類収納ファイルを用いて書類を収納する動作を説明する説明図である。
【図１７】図１４の書類収納ファイルを用いて書類を収納する動作を説明する説明図（図１６に連続する図）である。
【図１８】図１４の書類収納ファイルを用いて書類を収納する動作を説明する説明図（図１７に連続する図）である。
【図１９】本発明の第１の実施形態に係る書類収納ファイルの他の例を示す正面図（表紙を開いた状態）である。
【図２０】本発明の第１の実施形態に係る書類収納ファイルの他の例を示す正面図（表紙を開いた状態）である。
【図２１】本発明の第１の実施形態に係る書類収納ファイルの他の例を示す正面図（表紙を開いた状態）である。
【図２２】本発明の第１の実施形態に係る書類収納ファイルの他の例を示す正面図（表紙を開いた状態）である。
【図２３】本発明の第１の実施形態に係る書類収納ファイルの他の例を示す正面図（表紙を開いた状態）である。
【図２４】本発明の第１の実施形態に係る書類収納ファイルの他の例を示す正面図（表紙を開いた状態）である。
【図２５】本発明の第１の実施形態に係る書類収納ファイルの他の例を示す正面図（表紙を開いた状態）である。
【図２６】本発明の第１の実施形態に係る書類収納ファイルの他の例を示す正面図（表紙を開いた状態）である。
【図２７】本発明の第６の実施形態に係る書類収納ファイルの例を示す正面図（表紙を開いた状態）である。
【図２８】本発明の第６の実施形態に係る書類収納ファイルの他の例を示す正面図（表紙を開いた状態）である。
【図２９】本発明の第６の実施形態に係る書類収納ファイルの他の例を示す正面図（表紙を開いた状態）である。
【図３０】本発明の第７の実施形態に係る書類収納ファイルの例を示す正面図（表紙を開いた状態）である。
【図３１】本発明の第７の実施形態に係る書類収納ファイルの他の例を示す正面図（表紙を開いた状態）である。
【図３２】本発明の第７の実施形態に係る書類収納ファイルの他の例を示す正面図（表紙を開いた状態）である。
【図３３】本発明の実施形態に係る書類収納ファイルの好適な例を示す正面図（表紙を開いた状態）である。
【発明を実施するための形態】
【００１１】
（第１の実施形態）
以下、図面を参照して、本発明の第１の実施形態について詳しく説明する。図１は、本実施形態に係る書類収納ファイル１の例を示す概略図（正面図）である。また、図２は、書類収納ファイル１の表紙２を開いた（めくった）状態の概略図（正面図）である。なお、本文において、便宜的に図１に示す位置における、左辺、右辺、上辺、下辺の語を用いて説明を行う。また、実施形態を説明するための全図において、同一の機能を有する部材には同一の符号を付し、その繰り返しの説明は省略する場合がある。
【００１２】
書類収納ファイル１は、図１、図２に示すように、シート材からなる表紙２と裏表紙３との間に書類を挟み込んで収納する収納具である。本実施形態においては、１枚の矩形のシート材が中央で折曲されることによって、閉じられた一辺（図１の左辺）１１により連結された表紙２および裏表紙３が形成されている。これと共に、当該左辺１１と対向する位置には、書類の出し入れ部となる開口した一辺（図１の右辺）１３が形成されている。あるいは、変形例として、２枚の矩形のシート材が溶着（例えば、超音波溶着、熱溶着、等）もしくは接着されることによって、閉じられた一辺（左辺）１１が形成される構成としてもよい（不図示）。なお、シート材には、ポリプロピレン等の樹脂材料が用いられているが、透明度、色彩、模様等については特に限定されるものではない。
【００１３】
一方、上方の辺（図１の上辺）１４は、書類の出し入れを容易にするために、開口した辺として形成されている。ただし、これに限定されず、閉じられた辺としてもよい（不図示）。また、下方の辺（図１の下辺）１２は、書類の落出を防止するために、閉じられた辺として形成されている。ただし、これに限定されず、開口した辺としてもよい（不図示）。なお、一例として、下辺１２は溶着（ここでは、超音波溶着）によって形成されているが、これに限定されるものではなく、接着等によって形成される構成としてもよい。
【００１４】
ここで、本実施形態に特徴的な構成として、裏表紙３には、書類の端部を挟み込むように保持する主保持部２０が設けられている。より具体的には、図１、図２に示すように、主保持部２０は、裏表紙３の右辺１３（１３Ｂ）寄りの端部領域において、外縁部３ａ側に設けられた起点２０ａから内方３ｂ側へ進んでから外縁部３ａ側に設けられた終点２０ｂに戻る連続線（切込み線）２０ｃで切込みが入れられることによって、当該連続線（切込み線）２０ｃと、起点２０ａと終点２０ｂとを結ぶ基線２０ｄとで囲まれる領域として形成されている。この構成によれば、基線２０ｄの位置を支点として、基線２０ｄの位置から最も離れた位置となる頂部２０ｅが表紙２側へ向かう方向に起立する動作が可能となる。したがって、表紙２と裏表紙３との間に書類を挟み込んだ後、主保持部２０を起立させてから戻すように動作させることによって、主保持部２０で書類の端部を挟み込んで保持することができる。
【００１５】
そのため、主保持部２０の配設位置は、収納する書類の対応寸法に適合するように設定されている。具体的には、閉じられた左辺１１と基線２０ｄとの間の長さ寸法が、収納する書類の対応寸法よりも大きく、且つ、閉じられた左辺１１と頂部２０ｅとの間の長さ寸法が、収納する書類の対応寸法よりも小さくなるように設けられている。なお、主保持部２０の切込み線２０ｃを、左辺１１に向かって凸となる曲線状（例えば、円弧状）に形成する構成とすることによって、主保持部２０を起立させる際に書類の端部を乗り越え易くする効果が得られる。ただし、主保持部２０の切込み線２０ｃは曲線状に限定されず、図１９、図２０に示すような直線状（適宜、角丸めを併用）であってもよい。
【００１６】
上記の構成を備える主保持部２０は、一例として、開口した右辺１３（１３Ｂ）に沿って（すなわち、右辺１３（１３Ｂ）と平行の方向に）所定の間隔をあけて複数個並設されている。したがって、表紙２と裏表紙３とで挟まれる単一の空間内に複数の書類を仕訳して収納することが可能となる。具体的には、図１、図２に示すように、開口した上辺１４寄りの位置、および中央寄り（上辺１４と下辺１２との中間辺り）の位置に、主保持部２０が２個（２０Ａ、２０Ｂ）設けられている。ただし、この構成に限定されるものではなく、図２１に示すように、閉じられた下辺１２寄りの位置、および中央寄り（上辺１４と下辺１２との中間辺り）の位置に、主保持部２０が２個（２０Ａ、２０Ｂ）設けられる構成等としてもよい。さらに、別の変形例として、主保持部２０が１個設けられる構成（図２２、図２３参照）または３個以上設けられる構成（不図示）とすることも考えられる。
【００１７】
本実施形態においては、第１の主保持部２０Ａの基線２０ｄと頂部２０ｅとの長さＬ１と、第２の主保持部２０Ｂの基線２０ｄと頂部２０ｅとの長さＬ２とを同じ寸法に形成している。なお、それぞれの基線２０ｄ、２０ｄは同一線上に設けられている。これによって、統一感のあるデザイン性の高い外観形状とすることができる。ただし、この構成に限定されず、Ｌ１とＬ２とを異なる寸法に形成してもよい。
【００１８】
また、主保持部２０（２０Ａ、２０Ｂ、２０Ｃ）が設けられる位置に対応して、裏表紙３の外縁部３ａには、外方側へ突出させた起立操作タブ２２（２２Ａ、２２Ｂ）が設けられている。この起立操作タブ２２は、主保持部２０を裏表紙から表紙の方向へ起立させる動作および逆方向へ戻す動作を行うための構成要素である。動作方法の例としては、指で起立操作タブ２２の表面を押下げつつ、別の指で主保持部２０の裏面を押上げることによって、基線２０ｄの位置を支点として、主保持部２０（頂部２０ｅ側）を表紙２側へ向かう方向に起立させる作用が得られる。
【００１９】
なお、起立操作タブ２２はインデックス部を兼ねる構成とすることによって、仕訳して収納した複数の書類の内容をそれぞれ表示（記載）することができるため、主保持部２０によって保持した書類を明確に把握することができる。これに加えて、表紙２の表面においても、主保持部２０の位置に対応する位置に筆記具による直接記入が可能な印刷が施されたメモ欄を設けてもよい（不図示）。
【００２０】
ここで、本実施形態に係る表紙２には、裏表紙３の所定の主保持部（一例として、図１に示す中央寄りの主保持部２０Ｂ）の位置に対応する右辺１３（１３Ａ）の外縁部２ａにおいて、内方２ｂ側へ切欠かれた切欠き部２４が設けられている。この切欠き部２４は、当該所定の主保持部２０Ｂの起点２０ａの位置に対して左右方向における左辺１１寄りとなる位置２４ａを通過すると共に終点２０ｂの位置に対して左右方向における左辺１１寄りとなる位置２４ｂを通過する曲線もしくは直線で形成され、且つ、底部（最も左辺１１寄りとなる位置）２４ｃが当該所定の主保持部２０Ｂの頂部２０ｅよりも左右方向における右辺１３寄りの位置となるように形成されている。この構成によれば、基線２０ｄの位置を支点として、頂部２０ｅを表紙２よりも上まで起立させてから戻すように動作させることにより、当該所定の主保持部２０Ｂによって表紙２と裏表紙３とが開かないように固定することが可能となる。以下において、当該「所定の主保持部」を、「固定用主保持部」と称する場合がある。
【００２１】
なお、上記の切欠き部２４に係止される固定用主保持部（ここでは主保持部２０Ｂ）に関しては、切込み線２０ｃが左辺１１に向かって凸となる曲線状（例えば、円弧状）である構成が好適である。これにより、切欠き部２４に係止させる動作をスムーズに行うことができる。
【００２２】
ここで、固定用主保持部の変形例を図２２〜図２４に示す。図２２は、固定用主保持部（主保持部２０Ｂ）が、開口した上辺１４寄りの位置に１個設けられる構成例である。また、図２３は、固定用主保持部（主保持部２０Ｂ）が、中央寄り（上辺１４と下辺１２との中間辺り）の位置に１個設けられ、後述の副保持部２６が開口した上辺１４寄りの位置および閉じられた下辺１２寄りの位置に２個設けられる構成例である。また、図２４は、固定用主保持部（主保持部２０Ｂ）が、開口した上辺１４寄りの位置および閉じられた下辺１２寄りの位置に複数個（一例として２個）設けられる構成例である。なお、固定用主保持部（主保持部２０Ｂ）が３個以上設けられる構成とすることも考えられる（不図示）。
【００２３】
次に、本実施形態に特徴的な構成として、表紙２には、書類の端部を挟み込むように保持する副保持部２６が設けられている。より具体的には、図１、図２に示すように、副保持部２６は、表紙２の開口した一辺（右辺）１３（１３Ａ）寄りの端部領域において、外縁部２ａ側に設けられた起点２６ａから内方２ｂ側へ進んでから外縁部２ａ側に設けられた終点２６ｂに戻る連続線（切込み線）２６ｃで切込みが入れられることによって、当該連続線（切込み線）２６ｃと、起点２６ａと終点２６ｂとを結ぶ基線２６ｄとで囲まれる領域として形成されている。この構成によれば、基線２６ｄの位置を支点として、基線２６ｄの位置から最も離れた位置となる頂部２６ｅが裏表紙３側へ向かう方向に起立する動作が可能となる。したがって、表紙２と裏表紙３との間に書類を挟み込んだ後、副保持部２６を起立させてから戻すように動作させることによって、副保持部２６で書類の端部を挟み込んで保持することができる。
【００２４】
そのため、副保持部２６の配設位置は、収納する書類の対応寸法に適合するように設定されている。具体的には、閉じられた左辺１１と基線２６ｄとの間の長さ寸法が、収納する書類の対応寸法よりも大きく、且つ、閉じられた左辺１１と頂部２６ｅとの間の長さ寸法が、収納する書類の対応寸法よりも小さくなるように設けられている。なお、副保持部２６の切込み線２６ｃを、左辺１１に向かって凸となる曲線状（例えば、円弧状）に形成する構成とすることによって、副保持部２６を起立させる際に書類の端部を乗り越え易くする効果が得られる。ただし、副保持部２６の切込み線２６ｃは曲線状に限定されず、図２５、図２６に示すような直線状（適宜、角丸めを併用）であってもよい。
【００２５】
上記の構成を備える副保持部２６は、本実施形態においては、前述の中央寄りの主保持部２０Ｂの位置に対して下辺１２寄りとなる位置に、１個設けられている。なお、変形例として、副保持部２６がその他の位置に設けられる構成（図２１、図２２参照）や、複数個（一例として２個）設けられる構成（図２３参照）とすることも考えられる。さらに、別の変形例として、副保持部２６が３個以上設けられる構成（不図示）とすることも考えられる。
【００２６】
本実施形態においては、副保持部２６の基線２６ｄと頂部２６ｅとの長さＬ４を、前述の第１の主保持部２０Ａの長さＬ１および第２の主保持部２０Ｂの長さＬ２と同じ寸法に形成している。これによって、統一感のあるデザイン性の高い外観形状とすることができる。ただし、この構成に限定されず、Ｌ４を、Ｌ１、Ｌ２と異なる寸法に形成してもよい。
【００２７】
また、副保持部２６が設けられる位置に対応して、表紙２の外縁部２ａには、外方側へ突出させた起立操作タブ３０が設けられている。この起立操作タブ３０は、副保持部２６を表紙から裏表紙の方向へ起立させる動作および逆方向へ戻す動作を行うための構成要素である。動作方法の例としては、指で起立操作タブ３０の裏面を押上げつつ、別の指で副保持部２６の表面を押下げることによって、基線２６ｄの位置を支点として、副保持部２６（頂部２６ｅ側）を裏表紙３側へ向かう方向に起立させる作用が得られる。
【００２８】
なお、起立操作タブ３０はインデックス部を兼ねる構成とすることによって、収納した複数の書類の内容を表示（記載）することができるため、副保持部２６によって保持した書類を明確に把握することができる。これに加えて、表紙２の表面においても、副保持部２６の位置に対応する位置に筆記具による直接記入が可能な印刷が施されたメモ欄を設けてもよい（不図示）。
【００２９】
続いて、書類収納ファイル１を用いた書類に収納方法について、図３〜図５を用いて説明する。先ず、図３（ａ）に示すように、第１の書類（書類群）Ｐ１を、表紙２と裏表紙３との間に収納する。次いで、図３（ｂ）に示すように、開口した上辺１４側から１番目の第１の主保持部２０（２０Ａ）を第１の書類Ｐ１（ここでは最上面の書類）よりも上まで起立させてから戻すことによって、第１の書類Ｐ１の端部（ここでは右端部）を挟み込んで保持を行う。
【００３０】
次いで、図４（ａ）に示すように、第２の書類（書類群）Ｐ２を、表紙２と先に第１の主保持部で保持された第１の書類Ｐ１（ここでは最上面の書類）との間に収納する。次いで、図４（ｂ）に示すように、表紙２の副保持部２６を第２の書類Ｐ２（ここでは最下面の書類）よりも下まで起立させてから戻すことによって、第２の書類Ｐ２の端部（ここでは右端部）を挟み込んで保持を行う。
【００３１】
次いで、図５（ａ）に示すように、第３の書類（書類群）Ｐ３を、最初に第１の主保持部で保持された第１の書類Ｐ１（ここでは最上面の書類）と、続いて副保持部２６で保持された第２の書類Ｐ２（ここでは最下面の書類）との間に収納する。次いで、図５（ｂ）に示すように、中央寄り、すなわち、開口した上辺１４側から２番目の第２の主保持部２０（２０Ｂ）を表紙２よりも上まで起立させてから戻すことによって、第３の書類Ｐ３を第１の書類Ｐ１と第２の書類Ｐ２との間に挟持した状態で、主保持部２０（２０Ｂ）により、第３の書類Ｐ３の端部（ここでは右端部）を開口した右辺１３側から落出しないように保持しつつ、表紙２と裏表紙３とが開かないように固定することが可能となる。なお、収納方法の変形例として、第２の主保持部２０（２０Ｂ）を、上記のように表紙２よりも上まで起立させるのではなく、第３の書類Ｐ３（ここでは最上面の書類）よりも上まで起立させてから戻すことによって、表紙２と裏表紙３とが開く状態のまま、第３の書類Ｐ３の端部（ここでは右端部）を挟み込んで保持を行うことも可能となる。
【００３２】
このように、上記構成による収納方法によれば、表紙２と裏表紙３との間に形成される単一空間において、複数の書類を仕訳して収納することが可能となる。すなわち、上記の構成例では、第１の書類Ｐ１が裏表紙３と第１の主保持部２０Ａとの間に仕訳して収納でき、第２の書類Ｐ２が表紙２と副保持部２６との間に仕訳して収納でき、第３の書類Ｐ３が第１の主保持部２０Ａと副保持部２６との間に仕訳して収納できる。さらに、上記書類Ｐ１〜Ｐ３が収納された状態で、表紙２と裏表紙３とが開かないように固定できる。
【００３３】
したがって、複数の書類を収納するに際して、特許文献３に例示されるように複数のシートを溶着等して内部を仕切る構成を設ける必要がないため、原材料コストは増加せず、加工コストも主保持部の形成つまり切込み線の追加のみで対応でき、コスト増を抑制できるため、製造コストの増加という前述の課題の解決が可能となる。
【００３４】
さらに、表紙２が透明な樹脂材料で形成されている場合において、表紙２に設けられる副保持部２６により保持される第２の書類Ｐ２の最上面の書類として内容（目次）を記入（印刷）した書類を用意して、表紙２の外側から視認可能なように当該副保持部２６により保持させることによって、仕訳した複数の書類内容が一目で把握できる効果が得られる。また、表紙２への記入や貼付等の作業が不要となるため、非常に便利であると共に、表紙２の汚損や、貼付を行ったシールの紛失等の問題も解消することができる。
【００３５】
（第２の実施形態）
以下、図面を参照して、本発明の第２の実施形態について詳しく説明する。図６は、本実施形態に係る書類収納ファイル１の例を示す概略図（正面図）である。また、図７は、書類収納ファイル１の表紙２を開いた（めくった）状態の概略図（正面図）である。また、図８は、書類収納ファイル１の主保持部２０の構成（作用）を説明するための斜視図である。なお、基本的な構成は前述の第１の実施形態と同様であるため、同一の機能を有する部材について、繰り返しの説明は省略する場合がある。
【００３６】
書類収納ファイル１は、図６、図７に示すように、シート材からなる表紙２と裏表紙３との間に書類を挟み込んで収納する収納具である。本実施形態においては、１枚の矩形のシート材が中央で折曲されることによって、閉じられた一辺（図６の左辺）１１により連結された表紙２および裏表紙３が形成されている。これと共に、当該左辺１１と対向する位置には、書類の出し入れ部となる開口した一辺（図６の右辺）１３が形成されている。あるいは、変形例として、２枚の矩形のシート材が溶着もしくは接着されることによって、閉じられた一辺（左辺）１１が形成される構成としてもよい（不図示）。なお、シート材には、ポリプロピレン等の樹脂材料が用いられているが、透明度、色彩、模様等については特に限定されるものではない。
【００３７】
一方、上方の辺（図６の上辺）１４は、書類の出し入れを容易にするために、開口した辺として形成されている。ただし、これに限定されず、閉じられた辺としてもよい（不図示）。また、下方の辺（図６の下辺）１２は、書類の落出を防止するために、閉じられた辺として形成されている。ただし、これに限定されず、開口した辺としてもよい（不図示）。なお、一例として、下辺１２は溶着（熱溶着）によって形成されているが、これに限定されるものではなく、接着等によって形成される構成としてもよい。
【００３８】
ここで、本実施形態に特徴的な構成として、裏表紙３には、書類の端部を挟み込むように保持する主保持部２０が設けられている。より具体的には、図７、図８に示すように、主保持部２０は、裏表紙３の右辺１３（１３Ｂ）寄りの端部領域において、外縁部３ａ側に設けられた起点２０ａから内方３ｂ側へ進んでから外縁部３ａ側に設けられた終点２０ｂに戻る連続線（切込み線）２０ｃで切込みが入れられることによって、当該連続線（切込み線）２０ｃと、起点２０ａと終点２０ｂとを結ぶ基線２０ｄとで囲まれる領域として形成されている。この構成によれば、基線２０ｄの位置を支点として、基線２０ｄの位置から最も離れた位置となる頂部２０ｅが表紙２側へ向かう方向に起立する動作が可能となる。したがって、表紙２と裏表紙３との間に書類を挟み込んだ後、主保持部２０を起立させてから戻すように動作させることによって、主保持部２０で書類の端部を挟み込んで保持することができる。
【００３９】
そのため、主保持部２０の配設位置は、収納する書類の対応寸法に適合するように設定されている。具体的には、閉じられた左辺１１と基線２０ｄとの間の長さ寸法が、収納する書類の対応寸法よりも大きく、且つ、閉じられた左辺１１と頂部２０ｅとの間の長さ寸法が、収納する書類の対応寸法よりも小さくなるように設けられている。
【００４０】
上記の構成を備える主保持部２０は、開口した右辺１３（１３Ｂ）に沿って（すなわち、右辺１３（１３Ｂ）と平行の方向に）所定の間隔をあけて複数個並設されている（符号２０Ａ、２０Ｂ、２０Ｃで示す）。この構成によれば、表紙２と裏表紙３とで挟まれる単一の空間内に複数の書類を仕訳して収納することが可能となる。本実施形態においては、主保持部２０が３個（２０Ａ、２０Ｂ、２０Ｃ）である場合を例に挙げて説明するが、２個もしくは４個以上としてもよい（不図示）。
【００４１】
また、主保持部２０（２０Ａ、２０Ｂ、２０Ｃ）が設けられる位置に対応して、裏表紙３の外縁部３ａには、外方側へ突出させたインデックス部兼用の起立操作タブ２２（２２Ａ、２２Ｂ、２２Ｃ）が設けられている。これにより、主保持部２０を裏表紙から表紙の方向へ起立させる動作および逆方向へ戻す動作を行うことができる。また、仕訳して収納した複数の書類の内容をそれぞれ表示（記載）することができるため、書類の管理を確実に行うことができる。
【００４２】
ここで、具体的な収納方法について、図９〜図１１を用いて説明する。先ず、図９（ａ）に示すように、第１の書類（書類群）Ｐ１を表紙２と裏表紙３との間に収納する。次いで、図９（ｂ）に示すように、閉じられた下辺１２側から１番目の第１の主保持部２０（２０Ａ）を第１の書類Ｐ１（ここでは最上面の書類）よりも上まで起立させてから戻すことによって、第１の書類Ｐ１の端部（ここでは右端部）を挟み込んで保持を行う。
【００４３】
次いで、図１０（ａ）に示すように、第２の書類（書類群）Ｐ２を表紙２と先に第１の主保持部で保持された第１の書類Ｐ１（ここでは最上面の書類）との間に収納する。次いで、図１０（ｂ）に示すように、閉じられた下辺１２側から２番目の第２の主保持部２０（２０Ｂ）を第２の書類Ｐ２（ここでは最上面の書類）よりも上まで起立させてから戻すことによって、第２の書類Ｐ２の端部（ここでは右端部）を挟み込んで保持を行う。
【００４４】
次いで、図１１（ａ）に示すように、第３の書類（書類群）Ｐ３を表紙２と先に第２の主保持部で保持された第２の書類Ｐ２（ここでは最上面の書類）との間に収納する。次いで、図１１（ｂ）に示すように、閉じられた下辺側から３番目の第３の主保持部を第３の書類Ｐ３（ここでは最上面の書類）よりも上まで起立させてから戻すことによって、第３の書類Ｐ３の端部（ここでは右端部）を挟み込んで保持を行う。
【００４５】
このように、上記構成による収納方法によれば、表紙２と裏表紙３との間に形成される単一空間において、複数の書類を仕訳して収納することが可能となる。すなわち、複数個の例として３個の主保持部２０（２０Ａ、２０Ｂ、２０Ｃ）を有する場合には、第１の書類Ｐ１が裏表紙３と第１の主保持部２０Ａとの間に仕訳して収納でき、第２の書類Ｐ２が第１の主保持部２０Ａと第２の主保持部２０Ｂとの間に仕訳して収納でき、第３の書類Ｐ３が第２の主保持部２０Ｂと第３の主保持部２０Ｃとの間に仕訳して収納できる。なお、図示を省略するが、第３の主保持部２０Ｃと表紙２との間に第４の書類を仕訳して収納することも構造上可能となっている。
【００４６】
したがって、複数の書類を収納するに際して、特許文献３に例示されるように複数のシートを溶着等して内部を仕切る構成を設ける必要がないため、原材料コストは増加せず、加工コストも主保持部の形成つまり切込み線の追加のみで対応でき、コスト増を抑制できるため、製造コストの増加という前述の課題の解決が可能となる。
【００４７】
さらに、本実施形態に特徴的な構成として、複数個（ここでは３個）の主保持部２０（２０Ａ、２０Ｂ、２０Ｃ）は、閉じられた下辺１２側から並設されている順に基線２０ｄと頂部２０ｅとの間の長さ寸法が段階的に大きくなるように形成されている。具体的には、閉じられた下辺１２側から並設されている順に、１番目の第１の主保持部２０Ａの基線２０ｄと頂部２０ｅとの長さＬ１が最も小さく、２番目の第２の主保持部２０Ｂの基線２０ｄと頂部２０ｅとの長さＬ２が２番目に小さく、３番目の第３の主保持部２０Ｃの基線２０ｄと頂部２０ｅとの長さＬ３が最も大きくなるように構成されている。
【００４８】
この構成によれば、第１の書類Ｐ１のみを保持する第１の主保持部２０Ａの長さＬ１は、保持書類の厚さが相対的に薄いため、相対的に小さく形成して、保持操作を容易に行えるようにしている。仮に、大きく形成してしまうと、閉じられた下辺１２に近い位置であって表紙２と裏表紙３との距離を大きく取る（開口する）ことができない位置であるため、保持操作が行い難いものとなる。一方、第１の書類Ｐ１、第２の書類Ｐ２、および第３の書類Ｐ３の全てを保持する第３の主保持部２０Ｃの長さＬ３は、保持書類の厚さが相対的に厚いため、相対的に大きく形成して、書類が厚い場合であっても確実に保持を行えるようにしている。仮に、小さく形成してしまうと、挟み込む領域が小さくなり、保持が不十分となってしまうため、書類の仕訳ができない、あるいは書類が落出してしまう等の不具合が生じ得る。なお、中間位置となる第２の主保持部２０Ｂの長さＬ２は、第１の主保持部２０Ａの長さＬ１と、第３の主保持部２０Ｃの長さＬ３との中間値に設定すればよい。
【００４９】
このように、収納作業（保持操作）を容易に行うために、複数個の主保持部２０（２０Ａ、２０Ｂ、２０Ｃ）は、閉じられた下辺１２側から並設されている順に基線２０ｄと頂部２０ｅとの間の長さ寸法が段階的に大きくなるように形成されていることが好ましい。ただし、図示を省略するが、下辺１２が開口した一辺として形成されている場合には、閉じられた下辺１２側から並設されている順に基線２０ｄと頂部２０ｅとの間の長さ寸法が段階的に小さくなるように形成してもよい。
【００５０】
ここで、複数個の主保持部２０（２０Ａ、２０Ｂ、２０Ｃ）は、それぞれの基線２０ｄの位置が同一線上となるように配設されていることが好ましい。これによれば、複数の書類を仕訳して収納する際に、各書類の端部位置を揃えた状態で保持することできるため、整然とした状態での収納が可能となる。さらに、基線２０ｄの位置がばらつかないため、裏表紙３の外縁部３ａに設けられるインデックス部兼用の起立操作タブ２２（２２Ａ、２２Ｂ、２２Ｃ）の形状（特に、横方向寸法）を統一することができ、且つ、裏表紙３の形状（特に、横方向寸法）をコンパクトに形成することができる。
【００５１】
さらに、表紙２には、裏表紙３のインデックス部兼用の起立操作タブ２２（２２Ａ、２２Ｂ、２２Ｃ）の位置に対応する外縁部２ａにおいて、内方２ｂ側へ切欠かれた切欠き部２４が設けられている。これによれば、裏表紙３の外縁部３ａに設けられるインデックス部兼用の起立操作タブ２２（２２Ａ、２２Ｂ、２２Ｃ）に関して、外方への突出量を増やすことなく、横方向寸法を大きく形成することができるため、表示（記載）する情報量を増やすことができ、且つ、裏表紙３の形状（特に、横方向寸法）をコンパクトに形成することができる。
【００５２】
（第３の実施形態）
続いて、本発明の第３の実施形態に係る書類収納ファイル１について説明する。本実施形態に係る書類収納ファイル１は、前述の第２の実施形態と基本的な構成は同様であるが、特に、表紙２およびインデックス部兼用の起立操作タブ２２の構成において相違点を有する。以下、当該相違点を中心に本実施形態について説明する。ここで、本実施形態に係る書類収納ファイル１の概略図（正面図）を図１２に示す。
【００５３】
本実施形態に特徴的な構成として、表紙２には、裏表紙３のインデックス部兼用の起立操作タブ２２（２２Ａ、２２Ｂ、２２Ｃ）の位置（主保持部２０（２０Ａ、２０Ｂ、２０Ｃ）の位置）に対応する位置の所定領域において、筆記具（ボールペン等）による直接記入が可能な印刷が施されたメモ欄２８（２８Ａ、２８Ｂ、２８Ｃ）が設けられている。これによれば、書類の仕訳を行う際の表紙２への表示（記入）作業を簡易に行うことができる。また、表紙２を見れば、仕訳した複数の書類内容が一目で把握できるため、非常に便利である。
【００５４】
また、インデックス部兼用の起立操作タブ２２（２２Ａ、２２Ｂ、２２Ｃ）にも、筆記具（ボールペン等）による直接記入が可能な印刷（表面処理）が施されている。したがって、書類の仕訳を行う際のインデックス部兼用の起立操作タブ２２（２２Ａ、２２Ｂ、２２Ｃ）への表示（記入）作業を簡易に行うことができる。
【００５５】
なお、上記の表紙２およびインデックス部兼用の起立操作タブ２２（２２Ａ、２２Ｂ、２２Ｃ）における当該印刷（表面処理）は、いずれか一方のみに施してもよく、他方には当該印刷（表面処理）を施さずに、従来のように、別のシールに記入してから貼り付ける構成としてもよい。
【００５６】
（第４の実施形態）
続いて、本発明の第４の実施形態に係る書類収納ファイル１について説明する。本実施形態に係る書類収納ファイル１は、前述の第２の実施形態と基本的な構成は同様であるが、特に、表紙２の構成において相違点を有する。以下、当該相違点を中心に本実施形態について説明する。ここで、本実施形態に係る書類収納ファイル１の概略図（斜視図）を図１３に示す。
【００５７】
本実施形態に特徴的な構成として、表紙２には、書類の端部を挟み込むように保持する副保持部２６が設けられている。より具体的には、図１３に示すように、副保持部２６は、表紙２の開口した一辺（右辺）１３（１３Ａ）寄りの端部領域において、外縁部２ａ側に設けられた起点２６ａから内方２ｂ側へ進んでから外縁部２ａ側に設けられた終点２６ｂに戻る連続線（切込み線）２６ｃで切込みが入れられることによって、当該連続線（切込み線）２６ｃと、起点２６ａと終点２６ｂとを結ぶ基線２６ｄとで囲まれる領域として形成されている。この構成によれば、基線２６ｄの位置を支点として、基線２６ｄの位置から最も離れた位置となる頂部２６ｅが裏表紙３側へ向かう方向に起立する動作が可能となる。したがって、表紙２と裏表紙３との間に書類を挟み込んだ後、副保持部２６を起立させてから戻すように動作させることによって、副保持部２６で書類の端部を挟み込んで保持することができる。
【００５８】
特に、表紙２が透明な樹脂材料で形成されている場合において、裏表紙３に設けられる主保持部２０（２０Ａ、２０Ｂ、２０Ｃ）により仕訳されて保持された複数の書類の内容（目次）を記入（印刷）した書類を用意して、表紙２の外側から視認可能なように当該副保持部２６により保持させることによって、仕訳した複数の書類内容が一目で把握できる効果が得られる。また、表紙２への記入や貼付等の作業が不要となるため、非常に便利であると共に、表紙２の汚損や、貼付を行ったシールの紛失等の問題も解消することができる。
【００５９】
（第５の実施形態）
続いて、本発明の第５の実施形態に係る書類収納ファイル１について説明する。本実施形態に係る書類収納ファイル１は、前述の第１〜第４の実施形態と基本的な構成は同様である。以下、相違点を中心に本実施形態について説明する。ここで、図１４は、本実施形態に係る書類収納ファイル１の例を示す概略図（正面図）である。また、図１５は、書類収納ファイル１の表紙２を開いた（めくった）状態の概略図（正面図）である。
【００６０】
本実施形態においては、裏表紙３における開口した右辺１３（１３Ｂ）に沿って（すなわち、右辺１３（１３Ｂ）と平行の方向に）所定の間隔をあけて主保持部２０が２個（第１の主保持部２０Ａ、および第２の主保持部２０Ｂ）設けられている。より具体的には、開口した右辺１３（１３Ｂ）において、当該右辺１３（１３Ｂ）と直交する開口した上辺１４側の位置に第１の主保持部２０Ａが配設されている。また、開口した右辺１３（１３Ｂ）において、当該右辺１３（１３Ｂ）と直交する閉じられた下辺１２側の位置に第２の主保持部２０Ｂが配設されている（前述の通り下辺は開口した辺であってもよい）。なお、主保持部２０が３個以上の変形例に適用することも可能である（不図示）。
【００６１】
ここで、第１の主保持部２０Ａは、基線２０ｄと頂部２０ｅとの長さＬ１が相対的に小さく形成されており、第２の主保持部２０Ｂは、基線２０ｄと頂部２０ｅとの長さＬ２が相対的に大きく形成されている。
【００６２】
また、主保持部２０（２０Ａ、２０Ｂ）が設けられる位置に対応して、裏表紙３の外縁部３ａには、外方側へ突出させたインデックス部兼用の起立操作タブ２２（２２Ａ、２２Ｂ）が設けられている。
【００６３】
一方、本実施形態においては、表紙２に、副保持部２６が１個設けられている。なお、一例として、副保持部２６における基線２６ｄと頂部２６ｅとの長さＬ４は、第２の主保持部２０Ｂにおける基線２０ｄと頂部２０ｅとの長さＬ２と同じ長さに設定している。ただし、これに限定されるものではない。
【００６４】
また、外縁部２ａが設けられる位置に対応して、表紙２の外縁部２ａには、外方側へ突出させたインデックス部兼用の起立操作タブ３０が設けられている。
【００６５】
ここで、本実施形態に特徴的な構成として、表紙２に直交する方向（図１４における紙面に直交する方向）に視て、第１の主保持部２０Ａ、副保持部２６、第２の主保持部２０Ｂがその順に、上辺１４側から下辺１２側へ向かう方向に所定間隔をあけて配設される構成を有している。
【００６６】
上記の構成によれば、書類の３分類、すなわち書類を３つに仕訳して収納することを好適に行うことができる。以下、収納方法について具体的に説明する。先ず、図１６（ａ）に示すように、第１の書類（書類群）Ｐ１を表紙２と裏表紙３との間に収納する。次いで、図１６（ｂ）に示すように、上辺１４側の第１の主保持部２０（２０Ａ）を第１の書類Ｐ１（ここでは最上面の書類）よりも上まで起立させてから戻すことによって、第１の書類Ｐ１の端部（ここでは右端部）を挟み込んで保持を行う。
【００６７】
次いで、図１７（ａ）に示すように、第２の書類（書類群）Ｐ２を表紙２と先に第１の主保持部で保持された第１の書類Ｐ１（ここでは最上面の書類）との間に収納する。このままの状態でも分類は可能であるが、落出防止を図るストッパとして機能させる観点からも、図１７（ｂ）に示すように、下辺１２側の第２の主保持部２０（２０Ｂ）を第２の書類Ｐ２（ここでは最上面の書類）よりも上まで起立させてから戻すことによって、第２の書類Ｐ２の端部（ここでは右端部）を挟み込んで保持を行う（このとき、同時に第１の書類Ｐ１の端部（ここでは右端部）も挟み込んで保持を行うこととなる）。
【００６８】
次いで、図１８（ａ）に示すように、第３の書類（書類群）Ｐ３を表紙２と先に収納された状態の第２の書類Ｐ２（ここでは最上面の書類）との間に収納する。次いで、図１８（ｂ）に示すように、表紙２における副保持部２６を第３の書類Ｐ３（ここでは最下面の書類）よりも下まで起立させてから戻すことによって、第３の書類Ｐ３の端部（ここでは右端部）を挟み込んで保持を行う。
【００６９】
このように、上記構成による収納方法によれば、表紙２と裏表紙３との間に形成される単一空間において、複数の書類を仕訳して収納することが可能となる。特に、２個の主保持部２０（２０Ａ、２０Ｂ）と副保持部２６とを有する構成によって、第１の書類Ｐ１が裏表紙３と第１の主保持部２０Ａとの間に仕訳して収納でき、第２の書類Ｐ２が第１の主保持部２０Ａと副保持部２６との間に仕訳して収納でき、第３の書類Ｐ３が副保持部２６と表紙２との間に仕訳して収納できる。なお、前述の通り、第２の主保持部２０Ｂによって第２の書類Ｐ２を（同時に第１の書類Ｐ１も）保持させることによって、落出防止効果を得ることもできる。
【００７０】
したがって、特許文献３に例示されるように複数のシートを溶着等して内部を仕切る構成を設ける必要がないため、原材料コストは増加せず、加工コストも主保持部の形成つまり切込み線の追加のみで対応でき、コスト増を抑制できる。すなわち、きわめて簡素な構造によって、書類を３分類して仕訳可能な書類収納ファイルを好適に実現することが可能となる。
【００７１】
なお、本実施形態においても、前述の第３の実施形態と同様の構成を備えてもよい。すなわち、表紙２におけるインデックス部兼用の起立操作タブ２２、３０の対応位置に、筆記具（ボールペン等）による直接記入が可能な印刷が施されたメモ欄２８を設けてもよい（図１２と同様に構成すればよい）。また、インデックス部兼用の起立操作タブ２２、３０に、筆記具（ボールペン等）による直接記入が可能な印刷（表面処理）を施してもよい（図１２と同様に構成すればよい）。
【００７２】
（第６の実施形態）
続いて、本発明の第６の実施形態に係る書類収納ファイル１について説明する。本実施形態に係る書類収納ファイル１は、前述の第１〜第５の実施形態と基本的な構成は同様である。以下、相違点を中心に本実施形態について説明する。ここで、図２７〜図２９は、本実施形態に係る書類収納ファイル１の例であって、表紙２を開いた（めくった）状態の概略図（正面図）である。
【００７３】
本実施形態に特徴的な構成として、表紙２には、書類の端部を挟み込むように保持する表紙側補助保持部４６が設けられている。より具体的には、図２７に示すように、表紙側補助保持部４６は、表紙２の開口した上辺１４（１４Ａ）寄りの端部領域において、外縁部２ａ側に設けられた起点４６ａから内方２ｂ側へ進んでから外縁部２ａ側に設けられた終点４６ｂに戻る連続線（切込み線）４６ｃで切込みが入れられることによって、当該連続線（切込み線）４６ｃと、起点４６ａと終点４６ｂとを結ぶ基線４６ｄとで囲まれる領域として形成されている。この構成によれば、基線４６ｄの位置を支点として、基線４６ｄの位置から最も離れた位置となる頂部４６ｅが裏表紙３側へ向かう方向に起立する動作が可能となる。したがって、表紙２と裏表紙３との間に書類を挟み込んだ後、表紙側補助保持部４６を起立させてから戻すように動作させることによって表紙側補助保持部４６で書類の端部を挟み込んで保持することができる。これによれば、表紙２側に書類を保持する際、副保持部２６のみの保持では保持力が不足して脱落し易い場合に、副保持部２６および表紙側補助保持部４６の両方で保持することによって、脱落を防止することが可能となる。
【００７４】
そのため、表紙側補助保持部４６の配設位置は、収納する書類の対応寸法に適合するように設定されている。具体的には、収納する書類の端部（上端部）が基線４６ｄよりも外縁部２ａ側となるような寸法に構成されている。なお、表紙側補助保持部４６の切込み線４６ｃは、一例として、図２７に示すような直線状（適宜、角丸めを併用）の構成である。
【００７５】
本実施形態においては、表紙側補助保持部４６は、表紙２の開口した上辺１４（１４Ａ）寄りの端部領域に１個設けられている。なお、変形例として、図２８に示すように、表紙側補助保持部４６は、表紙２の開口した上辺１４（１４Ａ）寄りであって且つ開口した右辺１３（１３Ａ）寄りであるコーナー部領域に１個設けられる構成としてもよい。また、形状も直線状には限定されず、図２９に示すように、内方２ｂに向かって凸となる曲線状（例えば、円弧状）の構成としてもよい。
【００７６】
さらに別の変形例として、表紙側補助保持部４６を複数個（例えば、２個）設ける構成（例えば、図２７に示す表紙側補助保持部４６および図２８に示す表紙側補助保持部４６を並設する構成）とすることも考えられる（不図示）。なお、当該複数個は２個に限定されるものではない。
【００７７】
以上説明した表紙側補助保持部４６に対して、前述の第１〜第５の実施形態において説明した主保持部２０、副保持部２６、並びに後述の第７の実施形態において説明する裏表紙側補助保持部５６が適宜組み合わされて書類収納ファイル１が構成される。
【００７８】
（第７の実施形態）
続いて、本発明の第７の実施形態に係る書類収納ファイル１について説明する。本実施形態に係る書類収納ファイル１は、前述の第１〜第５の実施形態と基本的な構成は同様である。以下、相違点を中心に本実施形態について説明する。ここで、図３０〜図３２は、本実施形態に係る書類収納ファイル１の例であって、表紙２を開いた（めくった）状態の概略図（正面図）である。
【００７９】
本実施形態に特徴的な構成として、裏表紙３には、書類の端部を挟み込むように保持する裏表紙側補助保持部５６が設けられている。より具体的には、図３０に示すように、裏表紙側補助保持部５６は、裏表紙３の開口した上辺１４（１４Ｂ）寄りの端部領域において、外縁部３ａ側に設けられた起点５６ａから内方３ｂ側へ進んでから外縁部３ａ側に設けられた終点５６ｂに戻る連続線（切込み線）５６ｃで切込みが入れられることによって、当該連続線（切込み線）５６ｃと、起点５６ａと終点５６ｂとを結ぶ基線５６ｄとで囲まれる領域として形成されている。この構成によれば、基線５６ｄの位置を支点として、基線５６ｄの位置から最も離れた位置となる頂部５６ｅが表紙２側へ向かう方向に起立する動作が可能となる。したがって、表紙２と裏表紙３との間に書類を挟み込んだ後、裏表紙側補助保持部５６を起立させてから戻すように動作させることによって裏表紙側補助保持部５６で書類の端部を挟み込んで保持することができる。これによれば、裏表紙３側に書類を保持する際、主保持部２０のみの保持では保持力が不足して脱落し易い場合に、主保持部２０および裏表紙側補助保持部５６の両方で保持することによって、脱落を防止することが可能となる。さらに、主保持部２０（この場合には主保持部２０Ａ）と同様の作用を発揮させる使用方法も可能となるため、その場合には、表紙２と裏表紙３とで挟まれる単一の空間内に仕訳して収納できる書類群（グループ）の数を増加させる効果を得ることができる。
【００８０】
そのため、裏表紙側補助保持部５６の配設位置は、収納する書類の対応寸法に適合するように設定されている。具体的には、収納する書類の端部（上端部）が基線５６ｄよりも外縁部３ａ側となるような寸法に構成されている。なお、裏表紙側補助保持部５６の切込み線５６ｃは、一例として、図３０に示すような直線状（適宜、角丸めを併用）の構成である。
【００８１】
本実施形態においては、裏表紙側補助保持部５６は、裏表紙３の開口した上辺１４（１４Ｂ）寄りの端部領域に１個設けられている。なお、変形例として、図３１に示すように、裏表紙側補助保持部５６は、裏表紙３の開口した上辺１４（１４Ｂ）寄りであって且つ開口した右辺１３（１３Ｂ）寄りであるコーナー部領域に１個設けられる構成としてもよい。また、形状も直線状には限定されず、図３２に示すように、内方３ｂに向かって凸となる曲線状（例えば、円弧状）の構成としてもよい。
【００８２】
さらに別の変形例として、裏表紙側補助保持部５６を複数個（例えば、２個）設ける構成（例えば、図３０に示す裏表紙側補助保持部５６および図３１に示す裏表紙側補助保持部５６を並設する構成）とすることも考えられる（不図示）。なお、当該複数個は２個に限定されるものではない。
【００８３】
以上説明した裏表紙側補助保持部５６に対して、前述の第１〜第５の実施形態において説明した主保持部２０、副保持部２６、並びに前述の第６の実施形態において説明した表紙側補助保持部４６が適宜組み合わされて書類収納ファイル１が構成される。一例として、図３３に示すように、裏表紙３において、上辺１４（１４Ｂ）寄りの位置に固定用主保持部となる主保持部２０Ｂが１個設けられ、上辺１４（１４Ｂ）寄りで且つ右辺１３（１３Ｂ）寄りのコーナー部領域に裏表紙側補助保持部５６が設けられる構成であって、さらに、表紙２において、上辺１４（１４Ａ）寄りの位置に当該主保持部２０Ｂに対応する切欠き部２４が１個設けられ、中央寄り（上辺１４と下辺１２との中間辺り）の位置に副保持部２６が設けられる構成が好適である。この構成例によれば、図１、図２に示す前述の第一の実施形態と比較して、主保持部２０を１個減らしても、当該第一の実施形態と同様の動作（図３〜図５参照）によって書類収納を行うことが可能となる（裏表紙側補助保持部５６が図３〜図５に示す主保持部２０Ａと同様の作用をなすことが可能なためである）。
【００８４】
以上説明した通り、本発明によれば、きわめて簡素な構成により製造コスト、すなわち原材料コストおよび加工コストの増加を抑えつつ、複数の書類を仕訳して収納することが可能な書類収納ファイルを実現することができる。
【００８５】
なお、本発明は、以上説明した実施例に限定されることなく、本発明を逸脱しない範囲において種々変更可能である。特に、収納対象として書類を例に挙げて説明したが、シート状の物品であれば書類と同様に収納することが可能である。
【符号の説明】
【００８６】
１  書類収納ファイル
２  表紙
３  裏表紙
１１  左辺（閉じられた一辺）
１２  下辺（閉じられた一辺）
１３、１３Ａ、１３Ｂ  右辺（開口した一辺）
１４、１４Ａ、１４Ｂ  上辺（開口した一辺）
２０、２０Ａ、２０Ｂ、２０Ｃ  主保持部
２０ａ  主保持部の起点
２０ｂ  主保持部の終点
２０ｃ  主保持部の切込み線
２０ｄ  主保持部の基線
２０ｅ  主保持部の頂部
２２、２２Ａ、２２Ｂ、２２Ｃ  起立操作タブ
２４  切欠き部
２６  副保持部
２６ａ  副保持部の起点
２６ｂ  副保持部の終点
２６ｃ  副保持部の切込み線
２６ｄ  副保持部の基線
２６ｅ  副保持部の頂部
２８、２８Ａ、２８Ｂ、２８Ｃ  メモ欄
３０  起立操作タブ
４６  表紙側補助保持部
４６ａ  表紙側補助保持部の起点
４６ｂ  表紙側補助保持部の終点
４６ｃ  表紙側補助保持部の切込み線
４６ｄ  表紙側補助保持部の基線
４６ｅ  表紙側補助保持部の頂部
５６  裏表紙側補助保持部
５６ａ  裏表紙側補助保持部の起点
５６ｂ  裏表紙側補助保持部の終点
５６ｃ  裏表紙側補助保持部の切込み線
５６ｄ  裏表紙側補助保持部の基線
５６ｅ  裏表紙側補助保持部の頂部
【図１】
2019181923.tif 000003
【図２】
2019181923.tif 000004
【図３】
2019181923.tif 000005
【図４】
2019181923.tif 000006
【図５】
2019181923.tif 000007
【図６】
2019181923.tif 000008
【図７】
2019181923.tif 000009
【図８】
2019181923.tif 000010
【図９】
2019181923.tif 000011
【図１０】
2019181923.tif 000012
【図１１】
2019181923.tif 000013
【図１２】
2019181923.tif 000014
【図１３】
2019181923.tif 000015
【図１４】
2019181923.tif 000016
【図１５】
2019181923.tif 000017
【図１６】
2019181923.tif 000018
【図１７】
2019181923.tif 000019
【図１８】
2019181923.tif 000020
【図１９】
2019181923.tif 000021
【図２０】
2019181923.tif 000022
【図２１】
2019181923.tif 000023
【図２２】
2019181923.tif 000024
【図２３】
2019181923.tif 000025
【図２４】
2019181923.tif 000026
【図２５】
2019181923.tif 000027
【図２６】
2019181923.tif 000028
【図２７】
2019181923.tif 000029
【図２８】
2019181923.tif 000030
【図２９】
2019181923.tif 000031
【図３０】
2019181923.tif 000032
【図３１】
2019181923.tif 000033
【図３２】
2019181923.tif 000034
【図３３】
2019181923.tif 000035